(57)【要約】【課題】シート材から突出しているワイヤハーネスの端末が引っかかったり、絡まったりすることなく梱包できるワイヤハーネス組付体を提供する。【解決手段】ワイヤハーネス組付体１の梱包形態１０は、ワイヤハーネス３の端末が組付シート４の端部から突出したワイヤハーネス組付体１を複数梱包してなる。このワイヤハーネス組付体１の梱包形態１０においては、ワイヤハーネス３の端末が折り返されて組付シート４に重ねられ、ワイヤハーネス３の端末を内側に巻き込むように組付シート４をロール状に丸めた状態で、ワイヤハーネス組付体１が複数、収容箱１１に収容されている。【選択図】図４
2015067072.tif 000002
【特許請求の範囲】
【請求項１】
ワイヤハーネスと、前記ワイヤハーネスを内部に配置して保持し、被組付部に組み付けるための組付シートと、を備え、前記ワイヤハーネスの端末が、前記組付シートの端部から突出したワイヤハーネス組付体を複数梱包して成るワイヤハーネス組付体の梱包形態であって、
前記ワイヤハーネスの端末が折り返されて前記組付シートに重ねられ、前記ワイヤハーネスの端末を内側に巻き込むように前記組付シートをロール状に丸めた状態で、前記ワイヤハーネス組付体が複数、収容箱に収容されている
ことを特徴とするワイヤハーネス組付体の梱包形態。
【請求項２】
前記収容箱は、底壁と、前記底壁の周縁から立設する立壁と、前記底壁と対向する開口と、を備え、
前記ワイヤハーネス組付体は、ロール状に丸めた中心軸が前記立壁の立設方向に沿うように、前記収容箱内に収容されている
ことを特徴とする請求項１に記載のワイヤハーネス組付体の梱包形態。
【請求項３】
前記収容箱は、前記ワイヤハーネス組付体の一つ一つを仕切る仕切り壁をさらに備えた
ことを特徴とする請求項２に記載のワイヤハーネス組付体の梱包形態。
【請求項４】
ワイヤハーネスと、前記ワイヤハーネスを内部に配置して保持し、被組付部に組み付けるための組付シートと、を備え、前記ワイヤハーネスの端末が、前記組付シートの端部から突出したワイヤハーネス組付体を複数梱包するためのワイヤハーネス組付体の梱包方法であって、
前記ワイヤハーネスの端末が折り返されて前記組付シートに重ねられ、前記ワイヤハーネスの端末を内側に巻き込むように前記組付シートをロール状に丸めた状態で、前記ワイヤハーネス組付体が複数、収容箱に収容されている
ことを特徴とするワイヤハーネス組付体の梱包方法。
【発明の詳細な説明】
【技術分野】
【０００１】
本発明は、ワイヤハーネス組付体の梱包形態及び梱包方法に係り、特に、ドアトリムなどの被組付部にワイヤハーネスを組み付けるためのワイヤハーネス組付体の梱包形態及び梱包方法に関するものである。
【背景技術】
【０００２】
ドアトリムにワイヤハーネスを組み付けるためのワイヤハーネス組付体１００として、図７に示すものが提案されている（特許文献１、２）。同図に示すように、ワイヤハーネス組付体１００は、ワイヤハーネス１０１と、このワイヤハーネス１０１を互いの間に挟んで保持する一対のシート材１０２Ａ及び１０２Ｂと、を備えている。
【０００３】
ワイヤハーネス１０１の端末は、一対のシート材１０２Ａ及び１０２Ｂの端部から突出し、車両ドアに配置されたオーディオなどの電子機器に接続される。上記シート材１０２Ａ及び１０２Ｂをドアトリムにネジ止めしたり、超音波溶着することにより、簡単にドアトリムにワイヤハーネスを組み付けることができる。
【０００４】
上述したワイヤハーネス組付体１００は、図７に示すように、納品時に同じ形状のものを複数重ねた状態で梱包される。このとき、シート材１０２Ａ及び１０２Ｂから突出したワイヤハーネス１０１の端末が絡まったり、引っかかったりする恐れがあった。
【先行技術文献】
【特許文献】
【０００５】
【特許文献１】特開平２００５−３２９８３８号公報
【特許文献２】特開平２００６−２５６５６６号公報
【発明の概要】
【発明が解決しようとする課題】
【０００６】
そこで、本発明は、シート材から突出しているワイヤハーネスの端末が引っかかったり、絡まったりすることないワイヤハーネス組付体の梱包形態及び梱包方法を提供することを課題とする。
【課題を解決するための手段】
【０００７】
上述した課題を解決するための請求項１記載の発明は、ワイヤハーネスと、前記ワイヤハーネスを内部に配置して保持し、被組付部に組み付けるための組付シートと、を備え、前記ワイヤハーネスの端末が、前記組付シートの端部から突出したワイヤハーネス組付体を複数梱包して成るワイヤハーネス組付体の梱包形態であって、前記ワイヤハーネスの端末が折り返されて前記組付シートに重ねられ、前記ワイヤハーネスの端末を内側に巻き込むように前記組付シートをロール状に丸めた状態で、前記ワイヤハーネス組付体が複数、収容箱に収容されていることを特徴とするワイヤハーネス組付体の梱包形態に存する。
【０００８】
請求項２記載の発明は、前記収容箱は、底壁と、前記底壁の周縁から立設する立壁と、前記底壁と対向する開口と、を備え、前記ワイヤハーネス組付体は、ロール状に丸めた中心軸が前記立壁の立設方向に沿うように、前記収容箱内に収容されていることを特徴とする請求項１に記載のワイヤハーネス組付体の梱包形態に存する。
【０００９】
請求項３記載の発明は、前記収容箱は、前記ワイヤハーネス組付体の一つ一つを仕切る仕切り壁をさらに備えたことを特徴とする請求項２に記載のワイヤハーネス組付体の梱包形態に存する。
【００１０】
請求項４記載の発明は、ワイヤハーネスと、前記ワイヤハーネスを内部に配置して保持し、被組付部に組み付けるための組付シートと、を備え、前記ワイヤハーネスの端末が、前記組付シートの端部から突出したワイヤハーネス組付体を複数梱包するためのワイヤハーネス組付体の梱包方法であって、前記ワイヤハーネスの端末が折り返されて前記組付シートに重ねられ、前記ワイヤハーネスの端末を内側に巻き込むように前記組付シートをロール状に丸めた状態で、前記ワイヤハーネス組付体が複数、収容箱に収容されていることを特徴とするワイヤハーネス組付体の梱包方法に存する。
【発明の効果】
【００１１】
以上説明したように請求項１及び４記載の発明によれば、ワイヤハーネスの端末が折り返されて組付シートに重ねられ、ワイヤハーネスの端末が内側になるように組付シートをロール状に丸めた状態で、ワイヤハーネス組付体が複数、収容箱に収容されている。このため、ワイヤハーネス組付体を収容箱に収容したり、収容箱から取り出す際、ワイヤハーネスの端末が引っかかったり、絡まったりすることない。
【００１２】
請求項２記載の発明によれば、ワイヤハーネス組付体は、ロール状に丸めた中心軸が立壁の立設方向に沿うように、収容箱内に収容されているので、簡単に収容箱の開口から丸めたワイヤハーネス組付体を収容したり、取り出したりすることができる。
【００１３】
請求項３記載の発明によれば、仕切り壁を設けることにより、より一層簡単に収容箱の開口から丸めたワイヤハーネス組付体を収容したり、取り出したりすることができる。
【図面の簡単な説明】
【００１４】
【図１】本発明の梱包形態で梱包されるワイヤハーネス組付体が組み付けられるドアの斜視図である。
【図２】（Ａ）及び（Ｂ）は、図１に示すドアに組み付けられるワイヤハーネス組付体の分解斜視図及び斜視図である。
【図３】図１に示すドアにワイヤハーネス組付体が組み付けられる様子を示す斜視図である。
【図４】（Ａ）〜（Ｄ）は、図２に示すワイヤハーネス組付体の梱包方法を説明するための説明図である。
【図５】他の実施形態における本発明のワイヤハーネス組付体の梱包形態を示す図である。
【図６】他の実施形態におけるワイヤハーネス組付体の部分斜視図である。
【図７】従来のワイヤハーネス組付体の梱包時の様子を示す斜視図である。
【発明を実施するための形態】
【００１５】
以下、本発明のワイヤハーネス組付体の梱包形態及び梱包方法について図１〜図５を参照して説明する。まず、上記梱包形態及び梱包方法について説明する前に、ワイヤハーネス組付体１について説明する。ワイヤハーネス組付体１は、図１及び図３に示す、車両用ドア２を構成するドアトリム２Ｂにワイヤハーネス３を組み付けるためのものである。
【００１６】
ドアパネル２Ａは、鋼板から構成され、ドアトリム２Ｂよりも車室外側に設けられている。このドアパネル２Ａの上方には、内側にウインドウガラスＧが位置するウインドウ枠Ｓが設けられている。ドアトリム２Ｂは、合成樹脂から構成され、ドアパネル２Ａの車室内側に取り付けられる。上記ワイヤハーネス組付体１は、このドアトリム２Ｂに組み付けられ、ドアパネル２Ａとドアトリム２Ｂとの間に配置される。
【００１７】
上記ワイヤハーネス組付体１は、ワイヤハーネス３と、ワイヤハーネス３を内部に配置して保持する組付シート４と、を備えている。
【００１８】
上記ワイヤハーネス３は、例えば丸電線を一列に並べて連結したフラットケーブルなど厚さ寸法よりも幅寸法が大きいものが好ましいが、単に複数の電線を束ねた組電線などから構成されていてもよい。このワイヤハーネス３は、複数に分岐され、それぞれの端末にはコネクタ３Ａが取り付けられている。コネクタ３Ａは、車両用ドア２に配置されたオーディオなどの電子機器に接続される。このワイヤハーネス３は、後述する防音／断熱シート４Ａ及び貼合せシート４Ｂに挟まれて保持され、コネクタ３Ａが防音／断熱シート４Ａ及び貼合せシート４Ｂの端部から突出した状態で、ドアトリム２Ｂに組み付けられる。
【００１９】
組付シート４は、ワイヤハーネス３を互いの間に挟んで保持する防音／断熱シート４Ａ及び貼合せシート４Ｂ（一対のシート材）から構成されている。この防音／断熱シート４Ａ及び貼合せシート４Ｂは、シート状に形成され、ドアトリム２Ｂの大きさに合わせて形成されている。この防音／断熱シート４Ａ及び貼合せシート４Ｂには、ドアトリム２Ｂに形成された図示しない圧入部が圧入される圧入孔４Ｃが複数設けられている。
【００２０】
この圧入孔４Ｃは、防音／断熱シート４Ａ及び貼合せシート４Ｂの双方を貫通するように設けられ、予め設計されたワイヤハーネス３の配索経路以外の場所に、互いに間隔をあけて設けられている。そして、この圧入孔４Ｃにドアトリム２Ｂに突設された図示しない圧入部を圧入することにより、ドアトリム２Ｂにワイヤハーネス組付体１を組み付けることができる。
【００２１】
上記防音／断熱シート４Ａは、例えば、ウレタン等の発泡体や、ポリプロピレン繊維、ポリエチレンテレフタレート繊維、ポリエステル系繊維などの不織布から構成され、防音性及び断熱性を有している。貼合せシート４Ｂは、塩化ビニル、ポリエチレンなどのフィルムや、ポリエチレン、ポリプロピレン、ポリスチレン、エラストマー等の独立発泡体などから構成されている。なお、ここで挙げた防音／断熱シート４Ａ、貼合せシート４Ｂの材料は一例であり、本発明はこれに限定されるものではない。
【００２２】
次に、上述した構成のワイヤハーネス組付体１の製造手順について、図２を参照して説明する。まず、予め、図２（Ａ）に示すように、防音／断熱シート４Ａ及び貼合せシート４Ｂを別々に製造しておき、ワイヤハーネス３を配索形状に形作った状態で、防音／断熱シート４Ａ上に配置する。このとき、ワイヤハーネス３の端末は、防音／断熱シート４Ａから突出している。次に、貼合せシート４Ｂの面全体に接着剤を塗布して、図２（Ｂ）に示すように、貼合せシート４Ｂを防音／断熱シート４Ａに重ねて完成する。
【００２３】
このワイヤハーネス組付体１を例えばドアトリム２Ｂへの組み付け工場に出荷する際には、図４（Ｄ）に示す梱包形態１０で出荷される。この図４（Ｄ）に示すワイヤハーネス組付体１の梱包形態１０の詳細について、図４（Ａ）〜（Ｃ）を参照して説明する。
【００２４】
図４（Ａ）に示すように、ワイヤハーネス組付体１は、組付シート４からワイヤハーネス３の端末が突出している。そこで、図４（Ｂ）に示すように、すべてのワイヤハーネス３の端末を折り返して、貼合せシート４Ｂに重ねる。次に、図４（Ｃ）に示すように、ワイヤハーネス３の端末を内側に巻き込むように、即ち貼合せシート４Ｂが内側になるように組付シート４をロール状に丸める。図４（Ｄ）に示すように、ワイヤハーネス組付体１の梱包形態１０は、このように丸めた状態のワイヤハーネス組付体１が複数、収容箱１１に収容されている。
【００２５】
このため、ワイヤハーネス組付体１を収容箱１１に収容したり、収容箱１１から取り出す際、ワイヤハーネス３の端末が引っかかったり、絡まったりすることがない。
【００２６】
また、上記収容箱１１は、底壁１１Ａと、この底壁１１Ａの周縁から立設する立壁１１Ｂと、底壁１１Ａと対向する開口１１Ｃと、を備えている。ワイヤハーネス組付体１は、ロール状に丸めた中心軸Ｚが立壁１１Ｂの立設方向Ｙ１に沿うように、収容箱１１内に収容されている。即ち、ロール状に丸めたワイヤハーネス組付体１を縦にして収容箱１１に収容している。これにより、簡単に収容箱１１の開口１１Ｃから丸めたワイヤハーネス組付体１を収容したり、取り出したりすることができる。
【００２７】
また、収容箱１１は、ワイヤハーネス組付体１の一つ一つを仕切る仕切り壁１１Ｄをさらに備えている。これにより、仕切り壁１１Ｄと立壁１１Ｂとに囲まれた１つ１つの空間に、開口１１Ｃからロール状に丸めたワイヤハーネス組付体１を差し込むだけでよく、簡単にワイヤハーネス組付体１を収容箱１１に収容したり、取り出したりすることができる。
【００２８】
搬送先のドアトリム２Ｂでの組み付け工場では、図３に示すように、丸められたワイヤハーネス組付体１を延ばし、折り返されたワイヤハーネス３の端末を元に戻して、再び組付シート４の端部から突出させる。その後、貼合せシート４Ｂをドアトリム２Ｂ側に向けて、防音／断熱シート４Ａ及び貼合せシート４Ｂの圧入孔４Ｃにドアトリム２Ｂに突設された図示しない圧入部を圧入する。これにより、ドアトリム２Ｂにワイヤハーネス組付体１を組み付けることができる。
【００２９】
なお、上述した実施形態によれば、収容箱１１には、仕切り壁１１Ｄが設けられていたが、本発明はこれに限ったものではない。例えば、図５に示すように、仕切り壁１１Ｄについてはなくてもよい。
【００３０】
また、図６に示すように、貼合せシート４Ｂにワイヤハーネス３の端末を折り返すための切欠４Ｄを設けて、折り返した状態が保持されやすくしてもよい。
【００３１】
また、上述した実施形態によれば、ワイヤハーネス３の端末は貼合せシート４Ｂに重ねるように折り返されていたが、これに限ったものではない。防音／断熱シート４Ａ上に重ねるように折り返されていてもよい。この場合、ワイヤハーネス組付体１は、防音／断熱シート４Ａを内側にしてロール状に丸められて、収容箱１１に収容される。
【００３２】
また、上述した実施形態によれば、組付シート４は、防音／断熱シート４Ａ及び貼合せシート４Ｂを貼り合わせて構成されていたが、本発明はこれに限ったものではない。例えば、組付シート４としては、１枚のシートから構成するようにしてもよい。この場合、ワイヤハーネス３を組付シート４形成用の金型（図示せず）に挿入した状態で、金型に組付シート４の材料を流し込むことにより、ワイヤハーネス３を内部に配置した状態で組付シート４をインサート成形すれば、１枚のシートの内部にワイヤハーネス３を配置して保持することができる。
【００３３】
また、上述した実施形態によれば、ドアトリム２Ｂに設けられた圧入部が、組付シート４に設けられた圧入孔４Ｃに圧入されて、ワイヤハーネス組付体１が固定されていたが、本発明はこれに限ったものではない。組付シート４をドアトリム２Ｂに接着又は溶着してもよく、又はネジやビスなどを用いて固定してもよい。
【００３４】
また、上述した実施形態によれば、被組付部をドアトリム２Ｂとし、ドアトリム２Ｂにワイヤハーネス組付体１を組み付けていたが、本発明はこれに限ったものではない。被組付部としては、他に車両のルーフやインパネ、フロアなどが考えられ、これらにワイヤハーネス組付体１を組み付けるようにしてもよい。
【００３５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３６】
１  ワイヤハーネス組付体
２Ｂ  ドアトリム（被組付部）
３  ワイヤハーネス
４  組付シート
１０  ワイヤハーネス組付体の梱包形態
１１  収容箱
１１Ａ  底壁
１１Ｂ  立壁
１１Ｃ  開口
１１Ｄ  仕切り壁
【図１】
2015067072.tif 000003
【図２】
2015067072.tif 000004
【図３】
2015067072.tif 000005
【図４】
2015067072.tif 000006
【図５】
2015067072.tif 000007
【図６】
2015067072.tif 000008
【図７】
2015067072.tif 000009